(57)【要約】      （修正有）【課題】動物用箱罠であって、部品点数を少なくし、組み立ての簡素化、軽量化が可能な箱罠を提供する。【解決手段】動物が入り、扉が閉まることで閉鎖空間を作り動物を捕獲する箱型の箱罠であって、５つの面部１〜５と１つの落下式扉１４とで直方体形状を形成するものであり、１つ以上の面部の端部に曲げ部６〜１１を有し、曲げ部を用いて他の面部と接合し、接合が解除されないように、面部の平行移動を制限する結合金具を、落下式扉と面部の４面端部に設けた。【選択図】図１
0003219349.tif 000002
【実用新案登録請求の範囲】
【請求項１】
動物が入り、扉が閉まることで閉鎖空間を作り動物を捕獲する箱型の箱罠で、１面以上の面部の端部に曲げ部を有し、この曲げ部を用いて異なる面と接合し、前記の閉鎖空間の外側に対しての方向には自由な動きは制限され、面部同士を接合するときに面部を平行移動する事により接合され、平行移動後、それを制限する事により接合が解除されない箱罠。
【請求項２】
請求項１の箱罠で、分解、組立が可能な長方形、または正方形であり、５つの面部と１つの落下式扉からなり、少なくとも１つの面部を平行移動し接合させ、平行移動を制限することにより面部の接合が解除されない箱罠。
【考案の詳細な説明】
【技術分野】
【０００１】本考案は、動物用箱罠に関するものである。
【背景技術】
【０００２】箱罠は完成状態では移動、設置に複数人を要し、解決のために組立式箱罠が先行開発されている。しかし、複雑な方式、部品点数の増加などの問題がある。
【先行技術文献】
【特許文献】
【０００３】
【特許文献１】特許第５９４５６６３号公報
【考案の概要】
【考案が解決しようとする課題】
【０００４】特許文献１には、互いに曲げ部をかみ合わせて接合する手法が開示されているが、この方式では面部を９０度以内の角度で接合する必要があり、例えば４面の箱を作る場合、１面から３面の接合は問題ないが４面目の接合が不可能であり、やむを得ず４面目を２分割し、それぞれを前記の角度で接合し、さらに分割面をボルト、ナットで結合している。
【課題を解決するための手段】
【０００５】本考案は、動物が入り、扉が閉まることで閉鎖空間を作り動物を捕獲する箱型の箱罠で、１面以上の面部の端部に曲げ部を有し、この曲げ部を用いて異なる面と接合し、前記の閉鎖空間の外側に対しての方向には自由な動きは制限され、面部同士を接合するときに面部を平行移動する事により接合され、平行移動後、それを制限する事により接合が解除されない箱罠。接合させようとする互いの面部の端部の突起を、平行移動を行う方向に曲げる。また、接合後の線径分のずれが生じるために、ずれを許容した接合部の緩さを持たせる。もしくは、ずれを生じさせないように曲げ部を互いの線径分を本来の曲げ方向とは逆に曲げ、その先を本来の曲げ方向に曲げる。
【考案の効果】
【０００６】上記のように、面部を平行移動する事により接合する為、接合済の面部が次に接合を行おうとする面部に干渉することは無く、一つの面部の分割等を行い、干渉を避ける対策は不要である。さらに、２面の面部をボルト、シャックル等の接合金具を用いることなく接合することが可能になる。以上の事から、部品点数の減少が見込まれ、組立の簡素化、組立時間短縮、さらに軽量化が可能となる。
【図面の簡単な説明】
【０００７】
【図１】本考案の組立式箱罠の実施例を示す展開図面である。
【図２】箱罠の正面図である。
【図３】箱罠の正面右上からの斜視図である。
【考案を実施するための形態】
【０００８】面部の端に面部と水平方向の曲げ部を設けることにより、接合しようとする互いの面部の曲げ部の開放部を合わせ、平行移動し接合する。この状態で平行移動を制限することにより接合も解除されない。平行移動の制限は、箱罠の落下式扉と面部の４面端部をボルト、シャックル等の結合金具で固定することにより実現する。結合を解除する場合は、前記の逆手順となる。
【実施例】
【０００９】  以下、図１展開図面に従って一実施例を説明する。
左側面部１、底面部２、右側面部３、天井面部４、奥面部５のそれぞれの面部の端には図のような曲げ部を設ける。但し、左側面部１、底面部２、右側面図３、天井面部４の４面は落下式扉側、奥面部５は上下について、曲げ部は設けない。
又、底面部２、天井面部４の２面については、箱罠の内側方向に面部の直角に曲げ部を設ける。【００１０】  左側面部と底面部の接合曲げ部６の開放部を合わせ、面部に対して止まるまで平行移動する。
底面部と右側面部の接合曲げ部７の開放部を合わせ、面部に対して止まるまで平行移動する。
この状態で  左側面部１、底面部２、右側面部３の３面が接合された状態となるが、平行移動は制限されていない。【００１１】  落下式扉１４を  左側面部１、底面部２、右側面部３の３面にボルトまたはシャックルで結合する。この時点で  左側面部１、底面部２、右側面部３の３面の平行移動が制限され、接合が解除されない状態となる。【００１２】  奥面部５を既に接合された３面（左側面部１、底面部２、右側面部３）のうち、２面（左側面部１、右側面部３）の奥の曲げ部の開放部と、奥面部５の左右の曲げ部の開放部を合わせ、落下方向に止まるまで垂直移動させることにより、左側面部と奥面部の接合曲げ部１０、右側面部と奥面部の接合曲げ部１１、底面部の上向き曲げ部と奥面部の接合部１２が接合される。この時点では、奥面部５は上部方向移動は制限されていない。【００１３】  右側面部と天井面部との接合曲げ部８、  天井面部と左側面部の接合曲げ部９の開放部分を合わせ、落下式扉１４方向へ止まるまで平行移動する。この時点で、天井面部の下向き曲げ部と奥面部の接合部１３が接合され、奥面部５の上部方向移動は制限され、接合が解除できない状態となる。
この時点では、天井面部４は平行移動が制限されていない。【００１４】落下式扉１４を  天井面部４にボルトまたはシャックルで接合する。この時点で  天井面部４の平行移動が制限され、接合が解除されない状態となり、全ての面の接合が解除されない状態となる。
【符号の説明】
【００１５】１  左側面部
２  底面部
３  右側面部
４  天井面部
５  奥面部
６  左側面部と底面部の接合曲げ部
７  底面部と右側面部の接合曲げ部
８  右側面部と天井面部との接合曲げ部
９  天井面部と左側面部の接合曲げ部
１０  左側面部と奥面部の接合曲げ部
１１  右側面部と奥面部の接合曲げ部
１２  底面部の上向き曲げ部と奥面部の接合部
１３  天井面部の下向き曲げ部と奥面部の接合部
１４  落下式扉
【図１】
0003219349.tif 000003
【図２】
0003219349.tif 000004
【図３】
0003219349.tif 000005
【手続補正書】
【提出日】平成30年9月27日(2018.9.27)
【手続補正１】
【補正対象書類名】実用新案登録請求の範囲
【補正対象項目名】全文
【補正方法】変更
【補正の内容】
【実用新案登録請求の範囲】
【請求項１】
動物が入り、扉が閉まることで閉鎖空間を作り動物を捕獲する箱型の箱罠であって、前記箱罠は５つの面部と１つの落下式扉とで直方体形状を形成するものであり、１つ以上の前記面部の端部に曲げ部を有し、前記曲げ部を用いて他の面部と接合し、接合が解除されないように、前記面部の平行移動を制限する結合金具を、前記落下式扉と前記面部の４面端部に設けたことを特徴とする、箱罠。
【請求項２】
請求項１に記載の箱罠であって、前記面部及び／又は前期落下式扉は、長方形、または正方形であることを特徴とする、箱罠。。